(57)【特許請求の範囲】
【請求項１】
回転するロールと、前記ロールの中空内部にあって、前記ロールの軸方向に沿って順次直列に並んで配置された誘導発熱機構のための６（Ｎ＋１）（ただしＮは１以上の整数）個の誘導コイルと、前記誘導コイルを励磁する三相電源とからなり、前記誘導コイルを、前記三相電源の線路電圧により励磁されるデルタ結線された第１のグループの誘導コイルと、相回転方向に沿って前記第１のグループの各誘導コイルの間に配置されてあって、前記三相電源の電圧を１８０度移相した電圧により励磁されるデルタ結線された第２のグループの誘導コイルと、前記第１および第２のグループの誘導コイルの間に配置される第３および第４のデルタ結線されたグループの誘導コイルとに分ち、前記第３および第４のグループの誘導コイルには、相回転方向に沿って隣合う他の誘導コイルの励磁電圧に対して６０度／（Ｎ＋１）の位相差をもつように、前記第１および第２のグループの誘導コイルの分電圧を合成した電圧によって励磁してなる誘導発熱ローラ装置。
【請求項２】
回転するロールと、前記ロールの中空内部にあって、前記ロールの軸方向に沿って順次直列に並んで配置された誘導発熱機構のための３（Ｎ＋３）（ただしＮは１以上の整数）個の誘導コイルと、前記誘導コイルを励磁する三相電源とからなり、前記誘導コイルを、前記三相電源の線路電圧により励磁されるスター結線された第１のグループの誘導コイルと、相回転方向に沿って前記第１のグループの各誘導コイルの間に配置されてあって、前記三相電源の電圧を１８０度移相した電圧により励磁されるスター結線された第２のグループの誘導コイルと、前記第１および第２のグループの誘導コイルの間に配置される第３および第４のスター結線されたグループの誘導コイルとに分ち、前記第３および第４のグループの誘導コイルには、相回転方向に沿って隣合う他の誘導コイルの励磁電圧に対して３６０度／｛３（Ｎ＋３）｝の位相差をもつように、前記第１および第２のグループの誘導コイルの分電圧を合成した電圧によって励磁してなる誘導発熱ローラ装置。
【請求項３】
回転するロールと、前記ロールの中空内部にあって、前記ロールの軸方向に沿って順次直列に並んで配置された誘導発熱機構のための３（Ｎ＋１）（ただしＮは１以上の整数）個の誘導コイルと、前記誘導コイルを励磁する三相電源とからなり、前記誘導コイルを、スター結線されてあって、前記三相電源のうちの二相の間の電圧により励磁される第１のグループの誘導コイルと、相回転方向に沿って前記第１のグループの誘導コイルの間に配置されあって、前記三相電源のうちの他の一相の線路電圧を１８０度移相した電圧により励磁される第２のグループの誘導コイルと、前記第１及び第２のグループの誘導コイル間に配置される第３のグループのスター結線された誘導コイルとに分ち、前記第３のグループの誘導コイルには、相回転方向に沿って隣合う他の誘導コイルの励磁電圧に対して、１８０度／｛３（Ｎ＋１）｝の位相差をもつように、前記第１および第２のグループの誘導コイルの分電圧を合成した電圧によって励磁してなる誘導発熱ローラ装置。
【発明の詳細な説明】
【０００１】
【発明の属する技術分野】
本発明は誘導発熱ローラ装置に関する。
【０００２】
【従来の技術】
周知のように誘導発熱ロール装置は、回転するロールの内部に、鉄心と、これに巻装された誘導コイルとからなる誘導発熱機構を備えている。この構成の一例を図６によって説明すると、１はロールで、架台２に対して軸受３によって回転可能に支持され、図示しない回転源によって回転駆動される。４はロール１の肉厚部分に形成されてあるジャケット室で、内部に気液二相の熱媒体が封入されてある。
【０００３】
ロール１の中空内部には、複数の誘導コイル５とこれが巻装されてある鉄心６とによって誘導発熱機構７が構成されてある。８は各誘導コイル間に介在している磁性円板、９は誘導発熱機構７を支持する支持ロッドで、これは軸受１０を介してロール１に連なるジャーナル１１の内部に支持されている。１２は誘導コイル５のリード線で、支持ロッド９内を通って外部に導出され、外部の交流電源に接続されている。
【０００４】
ところで誘導コイルの励磁に三相電源を利用することが行われている。これは三相電源が身近にあることに基づくものであるが、周知のように三相電源のＵ，Ｖ，Ｗ相の相電圧の位相差１２０度であるから、誘導コイルを３個用意し、そのそれぞれに前記相電圧のそれぞれを印加するとき、隣合う誘導コイルの間に対峠するロールの２個所において他の個所よりも表面温度が低くなることが知られている。
【０００５】
この温度低下を減少させるためには、隣合う誘導コイルに印加される電圧の位相差を小さくすればよいことに着目し、三相電圧を一次電圧とし、４相以上の多相の二次電圧を発生する多相変圧器を用意し、この二次電圧のそれぞれを、４個以上用意された誘導コイルのそれぞれに印加するようにした構成が、既に提案されている（特開平９−７７５４号公報参照。）。
【０００６】
これによれば、隣合う誘導コイルに印加される電圧の位相差は１２０度より小さくすることができるので、三相電圧をそのまま誘導コイルに印加する場合よりも、ロール表面における局部的な温度低下を減少させることができる。しかしこの構成では多相変圧器を使用する必要があるので、製作費が高騰し、また多相変圧器を設置するための据付場所も必要となる欠点がある。
【０００７】
【発明が解決しようとする課題】
本発明は、三相電源を電源とし、ロールの中空内部に配置される複数の誘導コイルのうちの隣合う誘導コイルのそれぞれに、互いに位相差が小さい多相の交流電圧のそれぞれを印加するにあたり、多相変圧器を使用することなく、誘導コイル同志の接続のみによって、三相電源から位相差の小さい交流電圧の印加を可能にすることを目的とする。
【０００８】
【課題を解決するための手段】
本発明は、回転するロールと、前記ロールの中空内部にあって、ロールの軸方向に沿って順次直列に並んで配置された誘導発熱機構のための６（Ｎ＋１）（ただしＮは１以上の整数）個の誘導コイルを、前記誘導コイルを励磁する三相電源とからなり、前記誘導コイルを、三相電源の線路電圧により励磁されるデルタ結線された第１のグループの誘導コイルと、相回転方向に沿って前記第１のグループの各誘導コイルの間に配置されてあって、三相電源の電圧を１８０度移相した電圧により励磁されるデルタ結線された第２のグループの誘導コイルと、第１および第２のグループの誘導コイルの間に配置される第３および第４のデルタ結線されたグループの誘導コイルとに分ち、第３および第４のグループの誘導コイルには、相回転方向に沿って隣合う他の誘導コイルの励磁電圧に対して６０度／（Ｎ＋１）の位相差をもつように、前記第１および第２のグループの誘導コイルの分電圧を合成した電圧によって励磁することを特徴とする。
【０００９】
すべての誘導コイルには、順次６０度／（Ｎ＋１）の位相差の電圧が印加されるので、多相変圧器の二次電圧をそれぞれ印加したのと同じことになる。そしてそのために誘導コイル同志の接続のみによって実施しているので、多相変圧器を必要とはしない。
【００１０】
【発明の実施の形態】
本発明の実施態様を図によって説明する。図６に示すように誘導コイル５を１２個用意し、これをデルタ結線した場合、隣合う誘導コイルに印加される電圧の位相差は、本発明においては３０度となる。この場合の三相電源に対する誘導コイルの接続関係を示したのが図１である。
【００１１】
図１において、Ａ１〜Ａ３は、Ｕ，Ｖ，Ｗ相の三相電源の各相間にデルタ結線されてある、第１のグループの誘導コイル、Ｂ１〜Ｂ３は、同じ三相電源から取り出されてあり、Ｕ，Ｖ，Ｗ相の電圧に対して１８０度移相された電圧が取り出されるように、Ｕ，Ｖ，Ｗの各相に接続された相であるＸ，Ｙ，Ｚ相の各相間に接続されてある、第２のグループの誘導コイルである。
【００１２】
Ｃ１〜Ｃ３は、第１のグループの誘導コイルのうちの隣合う誘導コイル間に接続されている第３のグループの誘導コイル、Ｄ１〜Ｄ３は、第２のグループの誘導コイルのうちの隣合う誘導コイル間に接続されている第４のグループの誘導コイルである。
【００１３】
これを詳細に説明すると、誘導コイルＣ１は、誘導コイルＡ１，Ａ２のタップｕ，ｖ間に、誘導コイルＣ２は、誘導コイルＡ２，Ａ３のタップｖ，ｗ間に、誘導コイルＣ３は、誘導コイルＡ３，Ａ１のタップｗ，ｕ間にそれぞれ接続されている。同様に、誘導コイルＤ１は、誘導コイルＢ１，Ｂ２のタップｘ，ｙ間に、誘導コイルＤ２は、誘導コイルＢ２，Ｂ３のタップｙ，ｚ間に、誘導コイルＤ３は、誘導コイルＢ３，Ｂ１のタップｚ，ｘ間にそれぞれ接続されている。
【００１４】
このように接続された第３および第４の各誘導コイルには、これが接続されている第１および第２の誘導コイルの分電圧を合成した電圧が印加される。この場合この合成印加電圧により、隣合う誘導コイルに印加される電圧の位相差が３０度となるように、タップｕ，ｖ，ｗ，ｘ，ｙ，ｚを設定する。図１に示す結線図についての地形図を示したのが図２であり、またこれを三角形ＵＶＷと、三角形ＸＹＺとについて分離し、位相差をθとして一般的に示したのが図３であり、更に位相差θを３０度として示したのが図４である。
【００１５】
これらから理解されるように、三角形ＵＶＷにおいて、ＵＶに対するｕｖの傾角、ＶＷに対するｖｗの傾角、ＷＵに対するｗｕの傾角はそれぞれ３０度となるし、同様に三角形ＸＹＺにおいて、ＸＹに対するｘｙの傾角、ＹＺに対するｙｚの傾角、ＺＸに対するｚｘの傾角もそれぞれ３０度となる。
【００１６】
したがって、誘導コイルＡ１，Ｃ１，Ｂ３，Ｄ３，Ａ２，Ｃ２，Ｂ１，Ｄ１，Ａ３，Ｃ３，Ｂ２，Ｄ２を、図５に示す順序で、ロール１の中空内部に並べておいて、その並べた順番どおりにＵＶ間，ｕｖ間，ＺＸ間，ｚｘ間，ＶＷ間，ｖｗ間，ＸＹ間，ｘｙ間，ＷＵ間，ｗｕ間，ＹＺ間，ｙｚ間の各電圧を印加すれば、隣合う誘導コイルの印加電圧の位相差は３０度となる。なおこの順序の始発点はどこであってもよく、また順序の向きは逆であってもよい。
【００１７】
ここでＵ，Ｖ，Ｗ相の線間電圧をＥとし、Ｕｕ間の電圧をＥ１、ｕＶ間の電圧をＥ２、ｕｖ間の電圧をＥ３とすると、
Ｅ＝Ｅ１＋Ｅ２
Ｅ１＝Ｅ２sin３０°
であるから、
Ｅ１＝Ｅ／３
Ｅ２＝２Ｅ／３
また
Ｅ３＝Ｅ２cos３０°
＝（２Ｅ／３）×cos３０°
【００１８】
すなわち誘導コイルＡ１に印加される電圧Ｅに対して、タップｕ，ｖの位置を選定して前記電圧Ｅ１，Ｅ２，Ｅ３が各誘導コイルに印加されるようにすれば、誘導コイルＡ１，Ｃ１に印加される電圧の位相差が３０度となる。他の誘導コイルについても全く同様にして、各タップｗ，ｘ，ｙ，ｚの位置を選定すれば、隣合う誘導コイルに印加される電圧の位相差は３０度となる。なお各誘導コイルによるロール１の加熱温度がすべて同じとなるように、各誘導コイルのロール面長当りのアンペアターンが同じとなるように、たとえば巻数、コイル幅、抵抗などが設定されてある。
【００１９】
図７〜図９は、Ｎを３とした場合の構成について示している。したがって誘導コイルの数は２４個、隣合う誘導コイルにおける電圧の位相差が１５度となる構成である。Ｕ，Ｖ，Ｗ相ならびにＸ，Ｙ，Ｚ相については図１の場合と同じである。図４に対応する図７の地形図にも示してあるように、各誘導コイルＡ１〜Ａ３およびＢ１〜Ｂ３にはタップｕ１〜ｕ３，ｖ１〜ｖ３，ｗ１〜ｗ３，ｘ１〜ｘ３，ｙ１〜ｙ３，ｚ１〜ｚ３が引き出されている。
【００２０】
そして三角形ＵＶＷにおいて、ＵＶに対するｕ１ｖ１の傾角、ＶＷに対するｖ１ｗ１の傾角、ＷＵに対するｗｕの傾角はそれぞれ−１５度、ＵＶに対するｕ２ｖ２の傾角、ＶＷに対するｖ２ｗ２の傾角、ＷＵに対するｗ２ｕ２の傾角はそれぞれ１５度、ＵＶに対するｕ３ｖ３の傾角、ＶＷに対するｖ３ｗ３の傾角、ＷＵに対するｗ３ｕ３の傾角はそれぞれ３０度となるようにする。
【００２１】
同様に三角形ＸＹＺにおいて、ＸＹに対するｘ１ｙ１の傾角、ＹＺに対するｙ１ｚ１の傾角、ＺＸに対するｚ１ｘ１の傾角を−１５度、ＸＹに対するｘ２ｙ２の傾角、ＹＺに対するｙ２ｚ２の傾角、ＺＸに対するｚ２ｘ２の傾角を１５度、ＸＹに対するｘ３ｙ３の傾角、ＹＺに対するｙ３ｚ３の傾角、ＺＸに対するｚ３ｘ３の傾角を３０度となるようにする。
【００２２】
第１のグループの誘導コイルＡ１〜Ａ３ならびに第２のグループの誘導コイルＢ１〜Ｂ３はＵＶＷ相の相間ならびにＸＹＺ相の相間に接続される。第３のグループは三つのグループからなり、そのうちの最初のグループの誘導コイルＣ１〜Ｃ３は、ｕ３ｖ３間、ｖ３ｗ３間、ｗ３ｕ３間に接続され、次のグループの誘導コイルＣ２１〜Ｃ２３は、ｕ２ｖ２間、ｖ２ｗ２間、ｗ２ｕ２間に接続され、次のグループの誘導コイルＣ３１〜Ｃ３３は、ｕ１ｖ１間、ｖ１ｗ１間、ｗ１ｕ１間に接続される。
【００２３】
第４のグループも三つのグループからなり、そのうちの最初のグループの誘導コイルＤ１〜Ｄ３は、ｘ３ｙ３間、ｙ３ｚ３間、ｚ３ｘ３間に接続され、次のグループの誘導コイルＤ２１〜Ｄ２３は、ｘ１ｙ１間、ｙ１ｚ１間、ｚ１ｘ１間に接続され、次のグループの誘導コイルＤ３１〜Ｄ３３は、ｘ２ｙ２間、ｙ２ｚ２間、ｚ２ｘ２間に接続される。
【００２４】
この２４個の誘導コイルを、図９に示すように誘導コイルＣ３１から誘導コイルＤ２の順序でロール１の中空内部に並べておいて、その並べた順番どおりに、各誘導コイルに図８に示すタップ間の電圧を印加すれば、隣合う誘導コイルの印加電圧の位相差は１５度となる。なおこの順序の始発点はどこであってもよく、また順序の向きは逆であってもよい。
【００２５】
ここでＵ，Ｖ，Ｗ相の線間電圧をＥとし、Ｕ−ｕ３間の電圧をＥ１、ｕ３−Ｖ間の電圧をＥ２とすると、
Ｅ＝Ｅ１＋Ｅ２
Ｅ１＝Ｅ２×sin３０°
であるから、
Ｅ１＝Ｅ／３
Ｅ２＝２Ｅ／３
である。またｕ３−ｖ３間の電圧をＥ３とすれば、
Ｅ３＝２Ｅcos３０°／３
となる。
【００２６】
またＵ−ｕ１間、Ｕ−ｖ１間およびｕ１−ｖ１間の各電圧をＥ４，Ｅ５，Ｅ６とすれば、正弦定理から、
Ｅ４／sin１５°＝Ｅ５／sin１０５°＝Ｅ６／sin６０°
ここで
Ｅ５＝Ｅ−Ｅ４
であるから、
Ｅ４／sin１５°＝（Ｅ−Ｅ４）／sin１０５°
これを整理すれば、
Ｅ４＝Ｅsin１５°／（２sin６０°cos４５°）
同様に、
Ｅ５＝Ｅsin１０５°／（２sin６０°cos４５°）
Ｅ６＝Ｅ／（２cos４５°）
【００２７】
すなわち誘導コイルＡ１に印加される電圧Ｅに対して、各タップｕ，ｖの位置を選定して前記電圧Ｅ１〜Ｅ６を設定すれば、誘導コイルに印加される電圧の位相差が１５度となる。他の誘導コイルについても全く同様にして、各タップｗ，ｘ，ｙ，ｚの位置を選定すれば、隣合う誘導コイルに印加される電圧の位相差は１５度となる。なお各誘導コイルによるロール１の加熱温度がすべて同じとなるように、各誘導コイルのロール面長当りのアンペアターンが同じとなるように、たとえば巻数、コイル幅、抵抗などが設定されてある。
【００２８】
以上述べた例はＮが１および３であり、したがって隣合う誘導コイルの電圧の位相差が３０度および１５度となる構成であったが、これに限られるものではなく、Ｎが１以上の整数であれば適用できることはいうまでもない。たとえばＮが２であれば、誘導コイル数は１８、位相差を２０度とすることができる。
【００２９】
次に誘導コイルを三相電源に対してスター結線とした場合の実施態様を説明する。これはスター結線（中性点をＮｅする。）された３（Ｎ＋１）個の誘導コイルを使用する。図１０に示すように、三相電源のＵＶＷ相に第１のグループの誘導コイルを接続し、この相に対して１８０度移相して得られるＸＹＺ相に、第２のグループの誘導コイルを接続する。第１のグループの誘導コイルの間に第２のグループの誘導コイルを配置する。
【００３０】
このように並べられた第１および第２の誘導コイルの間に、第３のグループの誘導コイルを配置する。この誘導コイルには隣の第１または第２の誘導コイルに印加される電圧に対して位相差がθ｛＝３６０°／３（Ｎ＋１）｝の電圧を印加する。Ｎを３とし、したがつて誘導コイルの数を１２とし、および位相差θを３０度とした場合の地形図を図１１に示す。
【００３１】
第３のグループの誘導コイルに印加される電圧Ｎｅ−ｕ，Ｎｅ−ｚ，Ｎｅ−ｖ，Ｎｅ−ｘ，Ｎｅ−ｗ，Ｎｅ−ｙは、隣合う第１および第２のグループの誘導コイルに印加される電圧の中間点と中性点Ｎｅとの間の電圧と第１および第２のグループの誘導コイルに重ね巻きした補助コイルの電圧とを合成した電圧として求められる。この中間点をＵ１，Ｚ１，Ｖ１，Ｘ１，Ｗ１，Ｙ１とすれば、ＮｅとＵ１との間の電圧に対して、Ｕ１とｕとの間の電圧の位相差は６０度となる。
【００３２】
図１２に１２個の誘導コイルをローラの内部に並べて配置する場合において、その順序どおりに並べた結線状態を示す。Ａ１〜Ａ３は第１のグループの誘導コイル、Ｂ１〜Ｂ３は第２のグループの誘導コイル、Ｃ１１〜Ｃ１３およびＣ２１〜Ｃ２３は第３のグループの誘導コイルである。ここでは補助コイルＳ１１〜Ｓ１３およびＳ２１〜Ｓ２３を用意する。
【００３３】
補助コイルＳ１１〜Ｓ１３は誘導コイルＡ１〜Ａ３に、補助コイルＳ２１〜Ｓ２３は誘導コイルＢ１〜Ｂ３にそれぞれ重ね巻きされ、それぞれ同相の電圧が誘起される。このため誘導コイルＣ１１〜Ｃ１３およびＣ２１〜Ｃ２３には、これに隣合う第１または第２のグループの誘導コイルに印加される電圧に対して３０度の位相差の合成された電圧が印加されるようになる。
【００３４】
ここで三相入力電圧をＥ，Ｕ−Ｎｅ間の電圧をＥ１，Ｕ−Ｕ１の電圧をＥ２，Ｕ１−Ｎｅ間の電圧をＥ３，ｕ−Ｎｅ間の電圧をＥ４とすれば、
Ｅ１＝Ｅ２＋Ｅ３＝Ｅ４＝Ｅ／√３
ｕ−Ｕ１間の電圧をＥ５とすれば、
Ｅ３＝Ｅ５＝Ｅ４／（２cos３０°）＝Ｅ／（２√３cos３０°）
また
Ｅ２＝｛１−（１／２cos３０°）｝×Ｅ／√３
他の相においても同様である。したがってこれらの電圧の値を満足するようなＵ１，Ｚ１，Ｖ１，Ｘ１，Ｗ１，Ｙ１の位置を設定すればよい。
【００３５】
本発明の更に別の実施態様を説明する。これはスター結線された三つの相のうちの一つの相の電圧を１８０度移相し、それぞれ位相差が６０度の三個の電圧を得る。更に相回転方向に沿って隣合う相の電圧を合成して、互いに位相差θが
θ＝１８０°／｛３（Ｎ＋１）｝
となる電圧を得るようにしてある。
【００３６】
図１３はその構成のための地形図を示し、スター接続されているＵＶＷ相の三相において、そのうちの一相、図の例ではＷ相を反転することにより１８０度移相して−Ｗ相とする。そして各相に誘導コイルＡ１，Ａ２，Ａ３を接続し、相回転方向に沿って配列する。また相回転方向に沿って隣合うＵ−（−Ｗ）間、（−Ｗ）−Ｖ間、Ｖ−Ｕ間に誘導コイルＢ１，Ｂ２，Ｂ３を配置し、これも相回転方向に沿って配列する。
【００３７】
そして誘導コイルＢ１，Ｂ２，Ｂ３には、隣合う他の誘導コイルの分電圧を合成して得た、位相差θが１８０°／｛３（Ｎ＋１）｝の電圧を加える。図１２，図１３は位相差θを３０度とした例を示すもので、したがってここでは、６個の誘導コイルを使用している。
【００３８】
この構成において入力電圧をＥ，中性点Ｎｅと、各Ｕ，ｕ，−Ｗ，−ｗ，Ｖ，ｖの間の電圧をＥ１とすれば、中性点ＮｅとＵ１との間の電圧Ｅ２は
Ｅ２＝Ｅ１／２cos３０°＝Ｅ／（２√３cos３０°）
電圧Ｅ２はｕとＵ１との間の電圧にも等しい。
またＵとＵ１との間の電圧をＥ３とすれば、
Ｅ３＝Ｅ１−Ｅ２＝Ｅ｛１−１／（２cos３０°｝／√３
これらの電圧を満足するＵ１，Ｖ１，Ｗ１の位置を設定すればよい。
【００３９】
【発明の効果】
以上説明したように本発明によれば、ロール内に順次直列に配列される複数の誘導コイルを三相電源を利用して励磁するにあたり、隣合う誘導コイルの励磁電圧の位相差を６０度未満とするのに、誘導コイル間で合成された電圧を利用しているので、従来のような多相変圧器を使用する必要はなくなり、したがって構成が簡単となり、かつ多相変圧器のための据付個所も不要となる効果を奏する。
【図面の簡単な説明】
【図１】本発明の実施態様を示す配線図である。
【図２】図１における地形図である。
【図３】図２を分離して示した地形図である。
【図４】図２における位相差を３０度とした地形図ある。
【図５】図１の誘導コイルを相回転方向に沿って並べた配線図である。
【図６】誘導発熱ロール装置の断面図である。
【図７】位相差を１５度とした地形図である。
【図８】位相差を１５度とした場合の配線図である。
【図９】図８の誘導コイルを相回転方向に沿って並べた配線図である。
【図１０】本発明の他の実施態様を示した地形図である。
【図１１】図１０における位相差を３０度とした場合の地形図である。
【図１２】図１０における誘導コイルを相回転方向に沿って並べた配線図である。
【図１３】本発明の他の実施態様を示した地形図である。
【図１４】図１３における誘導コイルを相回転方向に沿って並べた配線図である。
【符号の説明】
１  ロール
７  誘導発熱機構
Ａ１〜Ａ６  第１のグループの誘導コイル
Ｂ１〜Ｂ３  第２のグループの誘導コイル
Ｃ１〜Ｃ１  第３のグループの誘導コイル
Ｄ１〜Ｄ３  第４のグループの誘導コイル
Ｕ，Ｖ，Ｗ  三相電源
Ｘ，Ｙ，Ｚ  １８０度移相された電圧線路
【図１】
0004176276.tif 000002
【図２】
0004176276.tif 000003
【図３】
0004176276.tif 000004
【図４】
0004176276.tif 000005
【図５】
0004176276.tif 000006
【図６】
0004176276.tif 000007
【図７】
0004176276.tif 000008
【図８】
0004176276.tif 000009
【図９】
0004176276.tif 000010
【図１０】
0004176276.tif 000011
【図１１】
0004176276.tif 000012
【図１２】
0004176276.tif 000013
【図１３】
0004176276.tif 000014
【図１４】
0004176276.tif 000015